(57)【要約】【課題】  印刷紙の状態に応じた力（当接力）を作用させて、印刷紙を排紙することにより、排紙の乱れを防止することができる排紙装置の提供を目的とする。【解決手段】  折機から送り出される新聞紙を、羽根１１１どうしの間に収めた状態で回転させるデリバリーファン１１０と、このデリバリーファン１１０に収められた新聞紙が順次載置されるデリバリーベルト１４０とを有し、複数の凸部２１が配設されたストリッパーベルト２と、凸部２１を所定の印刷紙排出速度で移動させる移動手段とを備え、凸部２１の後方側面が、デリバリーファン１１０に収められる印刷紙の先端部と当接し、該凸部２１が、印刷紙排紙速度で印刷紙をデリバリーファン１１０から押し出すように排出する構成としてある。【選択図】  図１
2007153551.tif 000002
【特許請求の範囲】
【請求項１】
輪転機の折機に設けられたフォルディングローラから送り出される印刷紙を、羽根どうしの間に収めた状態で回転させるデリバリーファンと、このデリバリーファンに収められた前記印刷紙が、部分的に重ねられた状態で順次載置されるデリバリーベルトとを有する排紙装置であって、
複数の凸部が配設されたストリッパーベルトと、
前記凸部を所定の印刷紙排出速度で移動させる移動手段と
を備え、
前記凸部の後方側面が、前記デリバリーファンに収められる前記印刷紙の先端部と当接し、該凸部が、前記印刷紙排紙速度で前記印刷紙を前記デリバリーファンから押し出すように排出することを特徴とする排紙装置。
【請求項２】
前記移動手段が、前記デリバリーファンに対して偏心した状態で回転自在に支持され、前記ストリッパーベルトの掛けられた従動プーリと、前記ストリッパーベルトの掛けられた駆動プーリを有することを特徴とする請求項１記載の排紙装置。
【請求項３】
前記駆動プーリが、前記デリバリーファンと連動して回転することを特徴とする請求項２記載の排紙装置。
【請求項４】
前記従動プーリの高さ位置を制御するベルト高さ制御手段を備えたことを特徴とする請求項２又は３記載の排紙装置。
【請求項５】
前記移動手段が、前記印刷紙と前記凸部の当接タイミングを制御するベルト位相制御手段を備えたことを特徴とする請求項２〜４のいずれか一項に記載の排紙装置。
【請求項６】
前記ストリッパーベルトを、前記印刷紙の少なくとも両端部付近に設けたことを特徴とする請求項１〜５のいずれか一項に記載の排紙装置。
【発明の詳細な説明】
【技術分野】
【０００１】
この発明は、排紙装置に関し、特に、新聞輪転機の折機に設けられ、第二折りされた新聞紙をデリバリーベルト上に排紙の乱れなく順次載置する排紙装置に関する。
【背景技術】
【０００２】
一般的に、新聞輪転機は折機を備えており、この折機は、連続印刷された印刷紙を、第一折りし，裁断し，第二折りし，さらに，排出する。また、折機は、第二折りされた印刷紙を排出するために、排紙装置を備えている。
【０００３】
＜従来例＞
図５は、従来例にかかる排紙装置の構造を説明するための要部の概略図であり、（ａ）はデリバリーファンの平面図を、（ｂ）はＣ−Ｃ断面図を示している。
同図において、排紙装置１００は、デリバリーファン１１０，ファン入口ガイド１２０，ファン裏ガイド１３０，デリバリーベルト１４０及びストリッパーシュー１５０を備えている。
【０００４】
デリバリーファン１１０は、スパイラル状の７枚の羽根１１１が、周方向に等間隔で設けられている。また、デリバリーファン１１０は、軸方向に等間隔、かつ、各羽根１１１が同じ位相となるように、デリバリーファン軸１１２に四段に固定されている。
デリバリーファン１１０の下方には、デリバリーベルト１４０が設けられている。また、デリバリーファン１１０の反搬送方向側に、湾曲した矩形板状のファン裏ガイド１３０が設けられ、デリバリーファン１１０の上方には、各羽根１１１の間に新聞紙（図示せず）を装入するためのファン入口ガイド１２０が設けられている。さらに、デリバリーファン軸１１２とデリバリーベルト１４０の間であって、各デリバリーファン１１０の間に、羽根１１１どうしの間に装入された新聞紙の第二折り部と当接し、新聞紙をデリバリーベルト１４０上に排出する、細長い板状のストリッパーシュー１５０が設けられている。
【０００５】
上記排紙装置１００を備えた新聞輪転機は、折機の上部に設けられたフォーマ（図示せず）が、印刷部（図示せず）で印刷された連続紙を第一折りし、次に、折胴１６１と鋸胴１６２が第一折りされた連続紙を新聞サイズに断裁し、フォルディングローラ１６３ヘ押し込むことにより第二折りする。
次に、排紙装置１００は、フォルディングローラ１６３から送り出される第二折りされた新聞紙を、ファン入口ガイド１２０及びファン裏ガイド１３０がガイドし、ガイドされた新聞紙は、デリバリーファン１１０に収容される。
【０００６】
次に、フォルディングローラ１６３と連動して回転するデリバリーファン１１０が、収容した新聞紙を回転させて、新聞紙の端部がストリッパーシュー１５０に突き当たる。新聞紙の回転が停止し、デリバリーファン１１０が回転しつづけることにより、新聞紙は、相対的に羽根１１１から引き抜かれるように、デリバリーファン１１０から抜け落ちる。この新聞紙は、デリバリーベルト１４０上に設定された排紙ピッチで重なるように載置され、デリバリーベルト１４０が、載置された新聞紙を排紙装置１００外へ排出する。
【０００７】
ところで、排紙の乱れを防止するために、上記排紙装置に関連する様々な装置が開発され開示されている。排紙の乱れとは、連続して載置される新聞紙がほぼ平行に一定の設定されたピッチ間隔で瓦状に重ねられ載置されるべきところが、その連続した新聞紙の一部又は全体がデリバリーベルトの進行方向とほぼ平行を保てず、曲がったり本来載置される位置よりデリバリーベルトの進行方向に対して直角方向にずれる状態をいう。
たとえば、特許文献１には、一つの軸に軸方向に間隔をあけて設けられた複数のデリバリーファンと、デリバリーファンの間に設けられ、アングル部材およびクランプ部材が配設されたチェーンとからなる装置が開示されている。この装置は、アングル部材が、デリバリーファンの羽根どうしの間に送り込まれる新聞紙を受け止めるとともに、新聞紙を羽根どうしの間から受け止めた新聞紙を押し出しデリバリーベルト上に載置する。また、クランプ部材が、羽根どうしの間に送り込まれる新聞紙を、回転方向側に押下する。
この技術によれば、チェーンの移動速度を調整することにより、新聞紙を羽根どうしの間から押し出す排出速度を制御する。
【０００８】
また、特許文献２には、折り機構で折り畳まれた折り丁（新聞紙）を回転しながら折り丁受け取り部で受けるデリバリーファン，折り丁受け取り部内の折り丁を掴むとともに折り丁受け取り部から押し出して変位し、搬送コンベヤー上に放す掴み機構，掴み機構の変位速度と予め定めた関係を維持した速度で変位する搬送コンベヤーを備えた折り丁排出ピッチ揃え装置の技術が開示されている。
この技術によれば、掴み機構による掴み代を大きくし折り丁を確実に掴み、折り丁の排出ピッチを確実に揃えて排出する。
【特許文献１】欧州特許第０３０７８８９号公報
【特許文献２】特許第２９３５２１８号公報
【発明の開示】
【発明が解決しようとする課題】
【０００９】
しかしながら、特許文献１に記載された装置は、アングル部材が、デリバリーファンの羽根どうしの間に送り込まれる新聞紙を受け止めるとともに、新聞紙を羽根どうしの間から受け止めた新聞紙を押し出しデリバリーベルト上に載置する構成としてある。このため、新聞紙（の第二折りされた折り部）は、新聞紙を受け止めたり押し出したりするときに、新聞紙に対するアングル部材の移動速度や移動方向に起因する外力を受けることとなり、新聞紙（たとえば、枚数が４頁や６頁のように少ない新聞紙）によっては、アングル部材に新聞紙がめり込み、新聞紙がデリバリーファン軸との平行位置を保てず、ずれて落ち込むようになっており、排紙の乱れが発生するといった問題があった。
【００１０】
また、印刷速度が高速化するとともに、デリバリーファンの回転速度も速くなり、新聞紙がアングル部材と突き当たる速度も速くなる。このため、突き当たった際、第二折りされた新聞紙の袋側とペラ側の剛性やファン上での印刷状況による摩擦抵抗の違いによって、アングル部材から異なった距離だけ押し戻され、排紙の乱れが発生しやすくなるといった問題があった。
さらに、この現象（排紙の乱れ）は、新聞輪転機の高速化ばかりでなく、（たとえば、後工程の発送設備のニーズによって、排紙ピッチを広げるための）デリバリーベルトの高速化や、新聞紙の状態、すなわち、印刷された新聞紙の頁数による新聞紙自体の剛性や新聞紙の材質，くせ及びインキや湿し水の付着量等によっても引き起こされており、新聞紙の微妙な状態に応じた排紙ができないといった問題があった。
【００１１】
また、特許文献２に記載された折り丁排出ピッチ揃え装置は、掴み機構による掴み代を大きくし折り丁を確実に掴み、折り丁の排出ピッチを確実に揃えて排出することができるものの、印刷された新聞紙の頁数による新聞紙自体の剛性や新聞紙の材質，くせ及びインキや湿し水の付着量等の、新聞紙の状態に対応することができないといった問題があった。さらに、掴み代を大きくすると、掴み汚れが発生する場合があり、この掴み汚れが発生すると、多色カラー面を有する新聞紙の価値が大きく損なわれてしまうといった問題があった。
【００１２】
本発明は、上記問題を解決すべく、印刷紙の状態に応じた力（当接力）を作用させて、印刷紙を排紙することにより、排紙の乱れを防止することができる排紙装置の提供を目的とする。
【課題を解決するための手段】
【００１３】
上記目的を達成するために、本発明の排紙装置は、輪転機の折機に設けられたフォルディングローラから送り出される印刷紙を、羽根どうしの間に収めた状態で回転させるデリバリーファンと、このデリバリーファンに収められた前記印刷紙が、部分的に重ねられた状態で順次載置されるデリバリーベルトとを有する排紙装置であって、複数の凸部が配設されたストリッパーベルトと、前記凸部を所定の印刷紙排出速度で移動させる移動手段とを備え、前記凸部の後方側面が、前記デリバリーファンに収められる前記印刷紙の先端部と当接し、該凸部が、前記印刷紙排紙速度で前記印刷紙を前記デリバリーファンから押し出すように排出する構成としてある。
このようにすると、デリバリーファンに収められた印刷紙が、所定の印刷紙排出速度で移動する凸部によって、押し出されるように、デリバリーファンから排出されるので、印刷紙へのダメージを防止するとともに、排紙の乱れを防止することができる。また、凸部をストリッパーベルト上に形成することにより、高速化に対応することができ、さらに、耐久性を向上させることができる。
【００１４】
また、本発明の排紙装置は、前記移動手段が、前記デリバリーファンに対して偏心した状態で回転自在に支持され、前記ストリッパーベルトの掛けられた従動プーリと、前記ストリッパーベルトの掛けられた駆動プーリを有する構成としてある。
このようにすると、移動手段の構造を単純化することができ、製造原価のコストダウンを図ることができる。
【００１５】
また、本発明の排紙装置は、前記駆動プーリが、前記デリバリーファンと連動して回転する構成としてある。
このようにすると、デリバリーファンが位相調整された場合であっても、凸部が連動して調整されるので、印刷紙と凸部の位置関係が保たれ、位置関係がずれることに起因する印刷紙へのダメージを防止するとともに、排紙の乱れを防止することができる。
【００１６】
また、本発明の排紙装置は、前記従動プーリの高さ位置を制御するベルト高さ制御手段を備えた構成としてある。
このようにすると、印刷紙とストリッパーベルトとの距離を制御することができ、たとえば、印刷紙を排出する際の凸部と印刷紙の先端部との当接位置を制御することができ、また、印刷紙が浮かないようにストリッパーベルトの位置を調整することができ、排紙の乱れをより確実に防止することができる。
【００１７】
また、本発明の排紙装置は、前記移動手段が、前記印刷紙と前記凸部の当接タイミングを制御するベルト位相制御手段を備えた構成としてある。
このようにすると、印刷紙に対する凸部の当接開始位置と当接終了位置（離反位置）を調節することができ、当接開始タイミング及び離反タイミングを微妙に調節することにより、印刷紙へのダメージや排紙の乱れを防止することができる。
【００１８】
また、本発明の排紙装置は、前記摩擦抵抗体を、前記ストリッパーベルトを、前記印刷紙の少なくとも両端部付近に設けた構成としてある。
このようにすると、印刷紙の端部が平行に揃うように、印刷紙のペラ側と袋側を効率よく排出することができるとともに、排紙の乱れを効果的に防止することができる。
【発明の効果】
【００１９】
本発明の排紙装置によれば、印刷紙の状態に応じた力（当接力）を作用させて、印刷紙を排紙することにより、排紙の乱れを防止することができる。
【発明を実施するための最良の形態】
【００２０】
［実施形態］
図１は、本発明の一実施形態に係る排紙装置の要部の概略平面図を示している。
また、図２は、本発明の一実施形態に係る排紙装置の要部の概略側面図を示している。
図１，２において、排紙装置１は、従来例に係る排紙装置１００と比較して、ストリッパーシュー１５０の代わりに、複数の凸部２１が配設されたストリッパーベルト２と、凸部２１を所定の印刷紙排出速度で移動させる移動手段（従動プーリ３１や駆動プーリ３２など）を備え、凸部２１の後方側面が、デリバリーファン１１０に収められる新聞紙の先端部と当接し、新聞紙の先端部と当接した凸部２１が、印刷紙排紙速度で新聞紙をデリバリーファン１１０から押し出すように排出する点が相違する。他の構成要素は従来例の排紙装置１００とほぼ同様としてある。
したがって、図１において、図５と同様の構成部分については同一の符号を付して、その詳細な説明を省略する。
【００２１】
（ストリッパーベルト）
ストリッパーベルト２は、複数の凸部２１が配設されたタイミングベルトとしてある。凸部２１は、ベルトの進行方向に対して直交する向きに設けられた三角柱状としてあり、凸部２１の後方側の面（本実施形態では、反進行方向側の斜面）が、デリバリーファン１１０に収められる新聞紙の先端部と当接し、凸部２１が、印刷紙排紙速度で新聞紙をデリバリーファン１１０から押し出すように排出する。
【００２２】
なお、凸部２１の断面形状は、三角形としてあるが、これに限定されるものではなく、たとえば、台形，長方形，半円形などとしてもよい。すなわち、図示してないが、凸部２１は、後方側の面がデリバリーファン１１０とストリッパーベルト２に挟まれた新聞紙の先端部と当接し、印刷紙排紙速度で新聞紙をデリバリーファン１１０から押し出すように排出することが可能な形状であればよい。さらに、凸部２１における、平面形状などを含む形状，向き，高さ，大きさ，数量，材質，表面粗さなどは、新聞紙に対して、好適な当接力を作用させるものであればよく、特に限定されるものではない。また、ストリッパーベルト２の材質は、一般的に、ゴム，ウレタン，樹脂，繊維質包含材料などの耐久性のあるものが使用され、タイミンクベルトとしての部分と凸部２１が異なる材質であってもよい。
【００２３】
また、凸部２１は、新聞紙の両端部の状態に応じて、たとえば、ペラ側と袋側（フォーマにより第一折りされた側）に応じて、平面形状などの形状，向き，高さ，大きさ，数量，材質，表面粗さなどを異なる構成としてもよい。たとえば、図示してないが、ペラ側のストリッパーベルト２の凸部２１を、袋側のストリッパーベルト２の凸部２１より当接面積が広くなる形状とするとよい。このようにすると、袋側に比べて機械的強度の弱いペラ側の新聞紙に、袋側とほぼ同じ大きさの当接力を作用させることができ、排紙の乱れをより確実に防止することができる。
さらに、凸部２１のほかに、ストリッパーベルト２の本体（凸部２１を除く表面）が新聞紙と接触する場合には、ストリッパーベルト２の本体が新聞紙に摩擦抵抗力を作用させ、この摩擦抵抗力によっても、新聞紙がデリバリーファン１１０から押し出されるように排出される。
【００２４】
また、ストリッパーベルト２は、新聞紙の両端部付近、すなわち、本実施形態では、四段のデリバリーファン１１０の両端側に、デリバリーファン１１０どうしに挟まれた状態で設けられている。このようにすると、新聞紙の端部が平行に揃うように、新聞紙のペラ側と袋側を効率よく排出することができるとともに、排紙の乱れを効果的に防止することができる。
なお、本実施形態では、二つのストリッパーベルト２を設けているが、これに限定されるものではなく、たとえば、新聞紙の中央部付近、すなわち、四段のデリバリーファン１１０の中央部にも、デリバリーファン１１０どうしに挟まれた状態で新たにストリッパーベルト２を設け、合計三つのストリッパーベルト２を設けてもよい。これにより、排紙の乱れをさらに効果的に防止することができる。
【００２５】
（移動手段）
移動手段は、従動プーリ３１と駆動プーリ３２を有しており、従動プーリ３１と駆動プーリ３２には、ストリッパーベルト２が掛けられている（図３（ａ）参照）。
従動プーリ３１は、円環状としてあり、デリバリーファン軸１１２が貫通した状態で、内周面が三つのボールベアリング３１１によって回転自在に軸支される。このボールベアリング３１１は、円環状の板材３１２に等間隔で設けられており、三つのうち一つのボールベアリング３１１が、突設されたエキセン軸３１３に装入されている。また、板材３１２は、図示してないが、取付け位置を調節可能に、回動フレーム４４に螺着されており、これにより、ストリッパーベルト２の張りを調節する。また、従動プーリ３１は、デリバリーファン１１０の回転中心に対して、搬送方向側（すなわち、駆動プーリ３２側）に微小距離だけ偏心した状態で取り付けられている。
【００２６】
駆動プーリ３２は、円板状としてあり、駆動プーリ軸３２１に固定されている。この駆動プーリ軸３２１は、両端が回転自在に軸支され、軸端付近にスプロケット３２２が固定されている。このスプロケット３２２は、デリバリーファン軸１１２の軸端付近に固定されたスプロケット１１２ａと、チェーン３２３を介して連結されており、デリバリーファン１１０の回転と連動して反時計回り方向に回転する。すなわち、デリバリーファン１１０の回転速度に対する従動プーリ３１の回転速度（凸部２１の周速）比は、（スプロケット３２２の歯数／スプロケット１１２ａの歯数）×（従動プーリ３１の歯数／駆動プーリ３２の歯数）となる。本実施形態では、凸部２１が新聞紙と当接してから、新聞紙がデリバリーファン１１０のほぼ真下に回転してきたときに、新聞紙が排出されるように、回転速度比を設定してある。これにより、凸部２１が新聞紙と接触する際の新聞紙へのダメージが抑制されるとともに、デリバリーベルト１４０の移動方向へ新聞紙が移動しながら落下し、ソフトランディングが可能となる。さらに、デリバリーファン１１０が位相調整された場合であっても、凸部２１が連動して調整されるので、新聞紙と凸部２１の位置関係が保たれ、位置関係がずれることに起因する新聞紙へのダメージを防止するとともに、排紙の乱れを防止することができる。
なお、上記回転速度比は、上記に限定されるものではない。
【００２７】
（ベルト高さ制御手段）
また、本実施形態の排紙装置１は、図３（ａ）に示すように、従動プーリ３１の高さ位置を制御するベルト高さ制御手段４を備えている。
ベルト高さ制御手段４は、ハンドル４１，ハンドル支持部材４２，直動筒４３及び回動フレーム４４とからなっている。
【００２８】
ハンドル４１は、従動プーリ３１側の端部に雄ねじが成形され、中央部が回転及び回動自在に支持され、反従動プーリ３１側の端部に取手が取り付けられている。ハンドル支持部材４２は、排紙装置１の筐体（図示せず）に螺着され、ハンドル４１を回転及び回動自在に支持する。直動筒４３は、ハンドル４１の雄ねじに対応した雌ねじが切られた筒であり、回動自在に回動フレーム４４の一方の端部に連結される。回動フレーム４４は、ほぼ鉤状の板部材であり、中央部が、駆動プーリ軸３２１に回動自在に軸支され、上述したように、一方の端部が直動筒４３と連結され、さらに、他方の端部が板材３１２と接合されている。  
【００２９】
また、本実施形態のベルト高さ制御手段４は、対向する回動フレーム４４が、連結板４４１によって連結されている。これにより、一つのハンドル４１を操作することにより、二つのストリッパーベルト２の高さを同時にかつ同じ高さだけ調節することができる。なお、この構成に限定されるものではなく、たとえば、各ストリッパーベルト２に、独立したベルト高さ制御手段４を設けてもよい。このようにすると、袋側に比べて機械的強度の弱いペラ側の新聞紙に、袋側とほぼ同じ大きさの当接力を作用させることができ、排紙の乱れをより確実に防止することができる。
【００３０】
ベルト高さ制御手段４は、ハンドル４１を時計回り方向に回転させると、直動筒４３が反従動プーリ３１側に移動し、回動フレーム４４が時計回り方向に回動するので、従動プーリ３１が上方向に移動し、従動プーリ３１の下方において、ストリッパーベルト２が新聞紙から離れる。また、ハンドル４１を反時計回り方向に回転させると、直動筒４３が従動プーリ３１側に移動し、回動フレーム４４が反時計回り方向に回動するので、従動プーリ３１が下方向に移動し、従動プーリ３１の下方において、ストリッパーベルト２が新聞紙に接近する。すなわち、ストリッパーベルト２が新聞紙から離れると、凸部２１の先端部側が新聞紙と当接し、ストリッパーベルト２が新聞紙に接近すると、凸部２１の根元部側が新聞紙と当接するので、当接力を微妙に調節することができる。また、新聞紙の枚数が多い場合には、従動プーリ３１を上方向に移動させ、ストリッパーベルト２が新聞紙を押下しすぎないようにしたり、新聞紙の枚数が少ない場合には、従動プーリ３１を下方向に移動させ、新聞紙を浮かないようにストリッパーベルト２で押さえることもでき、排紙の乱れをより確実に防止することができる。
なお、本実施形態のベルト高さ制御手段４は、手動方式としてあるが、小型モータなどの駆動手段を用いて、遠隔操作する構成としてもよい。
【００３１】
（ベルト位相制御手段）
また、本実施形態の排紙装置１は、図３（ｂ）に示すように、新聞紙に対する凸部２１の当接タイミングを制御するベルト位相制御手段５を備えている。
ベルト位相制御手段５は、ハンドル５１，ハンドル支持部材５２，直動筒５３，回動アーム５４，第一スプロケット５５，タイトナースプロケット５６，アイドルスプロケット５７及び第二スプロケット５８とからなっている。
【００３２】
ハンドル４１は、スプロケット１１２ａ側の端部が回転及び回動自在に支持され、中央部に雄ねじが成形され、反スプロケット１１２ａ側の端部に取手が取り付けられている。ハンドル支持部材５２は、排紙装置１の筐体（図示せず）に螺着され、ハンドル５１を回転及び回動自在に支持する。直動筒５３は、ハンドル５１の雄ねじに対応した雌ねじが切られた筒であり、回動自在に回動アーム５４の第一のアームの端部に連結される。回動アーム５４は、三方にアームが突出した板部材であり、第一のアームの端部が直動筒４３と連結され、第二のアームの端部に第一スプロケット５５が回転自在に軸支され、第三のアームの端部に第二スプロケット５８が回転自在に軸支されている。また、アイドルスプロケット５７は、スプロケット３２２の下方に設けられ、スプロケット１１２ａとアイドルスプロケット５７の間に、チェーン３２３を張るためのタイトナースプロケット５６が設けられている。また、第一スプロケット５５，タイトナースプロケット５６，アイドルスプロケット５７及び第二スプロケット５８には、チェーン３２３が掛けられる。  
【００３３】
また、本実施形態のベルト位相制御手段５は、対向する駆動プーリ３２が、一本の駆動プーリ軸３２１に固定されている。これにより、一つのハンドル５１を操作することにより、二つのストリッパーベルト２の位相を同時にかつ同じ角度だけ調節することができる。なお、この構成に限定されるものではなく、たとえば、各ストリッパーベルト２に、独立した駆動プーリ軸３２１を設け、独立したベルト位相制御手段５を設けてもよい。
【００３４】
ベルト位相制御手段５は、ハンドル５１を時計回り方向に回転させると、直動筒５３が反スプロケット１１２ａ側に移動し、回動アーム５４が時計回り方向に回動するので、第一スプロケット５５が上方に移動し第二スプロケット５８が下方に移動し、チェーン３２３の張りが変わらず位相が変化する。すなわち、スプロケット１１２ａの仮想基準点ａに対するスプロケット３２２の仮想点ｂが、時計回り方向に移動し、デリバリーファン１１０に対するストリッパーベルト２の位相が遅れる。
また、ハンドル５１を反時計回り方向に回転させると、直動筒５３がスプロケット１１２ａ側に移動し、回動アーム５４が反時計回り方向に回動するので、第一スプロケット５５が下方に移動し、スプロケット１１２ａの仮想基準点ａに対するスプロケット３２２の仮想点ｂが、反時計回り方向に移動し、デリバリーファン１１０に対するストリッパーベルト２の位相が進む。
したがって、ハンドル５１を操作することにより、新聞紙に対する凸部２１の当接開始位置と当接終了位置（離反位置）を調節することができ、すなわち、当接開始タイミング及び離反タイミングを微妙に調節することにより、新聞紙へのダメージや排紙の乱れを防止することができる。
なお、本実施形態のベルト位相制御手段５は、手動方式としてあるが、小型モータなどの駆動手段を用いて、遠隔操作する構成としてもよい。
【００３５】
次に、上記構成の排紙装置１の動作について、図面を参照して説明する。
図４は、本発明の一実施形態に係る排紙装置の動作を説明するための、要部の概略側面図を示している。
同図において、排紙装置１は、デリバリーファン１１０がフォルディングローラ１６３と連動して連続回転しており、フォルディングローラ１６３によって第二折りされた新聞紙（図示せず）が、ファン入口ガイド１２０にガイドされつつ、デリバリーファン１１０の羽根１１１どうしの間に収容される。すなわち、新聞紙は、ファン入口ガイド１２０にガイドされつつほぼ真下に移動し、新聞紙の下方端部（第二折りされた端部）が、付け根部１１１ａに当接し収容される。
【００３６】
次に、排紙装置１は、デリバリーファン１１０が、羽根１１１どうしの間に新聞紙を収容した状態で回転するとともに、新聞紙の下方端部が付け根部１１１ａに当接した直後に、新聞紙と当接する。すなわち、デリバリーファン１１０と同期して回転しているストリッパーベルト２の凸部２１が、新聞紙の下方端部に（新聞紙に対して）ほぼ進行方向側から当接し、新聞紙の端面に当接力を作用させる。この際、新聞紙は、羽根１１１と接触しており、羽根１１１から摩擦抵抗力を受けているが、凸部２１は、上記摩擦抵抗力より大きな当接力（新聞紙端面を押す力）を新聞紙に作用させ、ほぼ付け根部１１１ａの回転速度と凸部２１の回転速度との差によって、デリバリーファン１１０から新聞紙を抜き始める。
【００３７】
続いて、デリバリーファン１１０が回転すると、デリバリーファン１１０の回転速度より遅い周速で回転している凸部２１が、デリバリーファン１１０に対して徐々に遅れるように、ほぼ羽根１１１に沿って回転する。この際、凸部２１から当接力を受けている新聞紙は、凸部２１とともに、デリバリーファン１１０からの抜け方向（時計回り方向）に移動する。
【００３８】
次に、デリバリーファン１１０の羽根１１１の先端位置が、デリバリーファン軸１１２の真下よりやや反時計回り方向に移動した位置で、新聞紙は、デリバリーファン１１０から抜けきり、新聞紙の自重と凸部２１による抜け方向への押出し力の相乗ベクトル方向へ排出される。この際、新聞紙は、デリバリーベルト１４０の移動速度を打ち消しながら排出され、新聞紙の両端近傍を凸部２１で規制した平行状態を維持するように、デリバリーベルト１４０上へソフトランディングする。
【００３９】
また、本実施形態の排紙装置１は、ベルト高さ制御手段４を備えており、新聞紙の端部と当接する凸部２１の位置（たとえば、凸部２１の先端部，中段部又は根元部）を自在に調節することができるので、新聞紙に作用させる当接力を微妙に調節することができる。ここで、上記当接力の調節代はわずかであるが、たとえば、１時間当たり１４万部あるいはそれ以上の高速印刷を行う場合、微妙な当接力を調整することにより、排紙の乱れを防止することができる。また、新聞紙の枚数が多い場合には、従動プーリ３１を上方向に移動させ、ストリッパーベルト２が新聞紙を押下しすぎないようにしたり、新聞紙の枚数が少ない場合には、従動プーリ３１を下方向に移動させ、新聞紙を浮かないようにストリッパーベルト２で押さえることによっても、排紙の乱れをより確実に防止するとともに、新聞紙へのダメージを防止することができる。
なお、上記新聞紙に作用させる当接力を微妙に調節する効果は、高速印刷時に限定されるものではなく、たとえば、刷り出し時の低速域においても発揮され、各速度域及び各速度域の過渡域（増速中や減速中）における排紙の乱れを防止することができる。
【００４０】
また、排紙装置１は、ベルト位相制御手段５を備えており、新聞紙に対する凸部２１の当接開始位置と当接終了位置（離反位置）を調節することができ、すなわち、当接開始タイミング及び離反タイミングを微妙に調節することにより、新聞紙へのダメージや排紙の乱れを防止することができる。
【００４１】
このように、本実施形態の排紙装置１によれば、デリバリーファン１１０に収められた新聞紙が、所定の印刷紙排出速度で移動する凸部２１と当接し、この凸部２１によって、押し出されるように、デリバリーファン１１０から排出されるので、新聞紙へのダメージを防止するとともに、排紙の乱れを防止することができる。また、この際、新聞紙の微妙な状態に応じて、新聞紙に作用させる当接力を調節することができ、デリバリーファン１１０に収められた新聞紙が、新聞紙の状態に応じた当接力を受けて、デリバリーファン１１０から排出されるので、新聞紙へのダメージをより確実に防止するとともに、排紙の乱れを確実に防止することができる。さらに、凸部２１をストリッパーベルト２上に形成することにより、高速化に対応することができ、さらに、耐久性を向上させることができる。
【００４２】
以上、本発明の排紙装置について、好ましい実施形態を示して説明したが、本発明に係る排紙装置は、上述した実施形態にのみ限定されるものではなく、本発明の範囲で種々の変更実施が可能であることは言うまでもない。
たとえば、排紙装置１は、当接力発生部材及び移動手段として、ストリッパーベルト２に突設された凸部２１，駆動プーリ３２及び従動プーリ３１を用いているが、この構成に限定されるものではない。図示してないが、たとえば、ストリッパーベルト２，駆動プーリ３２及び従動プーリ３１の代わりに、従動プーリ３１の外周面に、凸部を設け、従動プーリ３１と駆動プーリ軸３２１にスプロケットを設け、これらのスプロケットにチェーンを掛けて凸部を移動させる構成としてもよい。このような構成としても、排紙装置１とほぼ同様の効果を発揮することができる。
【産業上の利用可能性】
【００４３】
本発明は、新聞紙を含む印刷紙の排紙装置としてあるが、排出対象物は、印刷紙に限定されるものではなく、たとえば、シート状の物体を排出する排出装置として、広く適用が可能である。
【図面の簡単な説明】
【００４４】
【図１】本発明の一実施形態に係る排紙装置の要部の概略平面図を示している。
【図２】本発明の一実施形態に係る排紙装置の要部の概略側面図を示している。
【図３】本発明の一実施形態に係る排紙装置の要部の概略図であり、（ａ）はベルト高さ制御手段を説明するための、図１のＡ−Ａ断面図を、（ｂ）はベルト位相制御手段を説明するための、図１のＢ−Ｂ断面図を示している。
【図４】本発明の一実施形態に係る排紙装置の動作を説明するための、要部の概略側面図を示している。
【図５】従来例にかかる排紙装置の構造を説明するための要部の概略図であり、（ａ）はデリバリーファンの平面図を、（ｂ）はＣ−Ｃ断面図を示している。
【符号の説明】
【００４５】
１  排紙装置
２  ストリッパーベルト
４  ベルト高さ制御手段
５  ベルト位相制御手段
２１  凸部
３１  従動プーリ
３２  駆動プーリ
４１  ハンドル
４２  ハンドル支持部材
４３  直動筒
４４  回動フレーム
５１  ハンドル
５２  ハンドル支持部材
５３  直動筒
５４  回動アーム
５５  第一スプロケット
５６  タイトナースプロケット
５７  アイドルスプロケット
５８  第二スプロケット
１００  排紙装置
１１０  デリバリーファン
１１１  羽根
１１１ａ  付け根部
１１２  デリバリーファン軸
１１２ａ  スプロケット
１２０  ファン入口ガイド
１３０  ファン裏ガイド
１４０  デリバリーベルト
１５０  ストリッパーシュー
１６１  折胴
１６２  鋸胴
１６３  フォルディングローラ
３１１  ボールベアリング
３１２  板材
３１３  エキセン軸
３２１  駆動プーリ軸
３２２  スプロケット
３２３  チェーン
４４１  連結板
【図１】
2007153551.tif 000003
【図２】
2007153551.tif 000004
【図３】
2007153551.tif 000005
【図４】
2007153551.tif 000006
【図５】
2007153551.tif 000007